(57)【要約】【課題】  ワイヤの切断部の両側をワイヤ切断機構の固定刃と支持部材の両持ちで支持し、切断不良の原因を取り除き、ワイヤ切断機構の耐久性を向上させ、可動刃の切断性能を維持させることができ、確実でスムーズな切断を行うことができる鉄筋結束機を提供する。【解決手段】  鉄筋結束機１において、ワイヤ切断機構６１は、固定刃６２と、固定刃６２に摺動又は揺動してワイヤ５を切断する可動刃６３とからなるカッターである。鉄筋結束機１のガイド部６には、固定刃６２側から送り出されるワイヤ５を、ワイヤ５の送り方向において可動刃６３の切断面よりも反対側の位置で支持する支持部材６５が設けられている。固定刃６２は、可動刃６３のワイヤ切断時にワイヤ切断部５ｂの一方を支持し、支持部材６５は、ワイヤ切断時にワイヤ切断部５ｂの他方を支持する。【選択図】図５
2019116326.tif 000002
【特許請求の範囲】
【請求項１】
ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、
ガイド部には、前記ワイヤ切断機構側から送り出されるワイヤを、ワイヤの送り方向においてワイヤ切断機構の切断部よりも下流側の位置で支持する支持部材が設けられ、
前記支持部材は、ワイヤ切断機構のワイヤ切断時にワイヤを支持することを特徴とする鉄筋結束機。
【請求項２】
ガイド部には、ワイヤの送り方向においてワイヤ切断機構の切断部よりも上流側の位置で支持する固定部材が設けられ、
前記固定部材は、ワイヤ切断時にワイヤ切断部の一方を支持し、
前記支持部材は、ワイヤ切断時にワイヤ切断部の他方を支持することを特徴とする請求項１記載の鉄筋結束機。
【請求項３】
前記ワイヤ切断機構は、第１の可動刃と、前記第１の可動刃に摺動又は揺動してワイヤを切断する第２の可動刃とからなるカッターであって、
前記第１の可動刃又は第２の可動刃は、ワイヤ切断時にワイヤ切断部の一方を支持し、
前記支持部材は、ワイヤ切断時にワイヤ切断部の他方を支持することを特徴とする請求項１記載の鉄筋結束機。
【請求項４】
前記ワイヤ切断機構は、固定刃と、前記固定刃に摺動又は揺動してワイヤを切断する可動刃とからなるカッターであって、
前記固定刃は、ワイヤ切断時にワイヤ切断部の一方を支持し、
前記支持部材は、ワイヤ切断時にワイヤ切断部の他方を支持することを特徴とする請求項１記載の鉄筋結束機。
【請求項５】
前記固定刃は、ワイヤの送り方向に向かってワイヤ貫通孔が形成され、
前記ワイヤは、前記固定刃のワイヤ貫通孔から送り出され、
前記固定刃のワイヤ貫通孔のワイヤ出口側に可動刃が作動してワイヤを切断することを特徴とする請求項４記載の鉄筋結束機。
【請求項６】
前記ワイヤ切断機構は、固定刃と、前記固定刃の周囲に回動可能に設けられた可動刃とからなり、前記固定刃は、ワイヤの送り方向に向かってワイヤ貫通孔が形成され、前記ワイヤは、前記固定刃のワイヤ貫通孔から送り出され、可動刃の回転によりワイヤを切断するカッターであって、
前記固定刃は、ワイヤ切断時にワイヤ切断部の一方を支持し、
前記支持部材は、ワイヤ切断時にワイヤ切断部の他方を支持することを特徴とする請求項１記載の鉄筋結束機。
【請求項７】
前記ワイヤ切断機構は、固定刃と、前記固定刃の内側に収納された回動可能な可動刃とからなり、前記可動刃は、ワイヤの送り方向に向かってワイヤ貫通孔が形成され、前記ワイヤは、前記可動刃のワイヤ貫通孔から送り出され、可動刃の回転によりワイヤを切断するカッターであって、
前記固定刃は、ワイヤ切断時にワイヤ切断部の一方を支持し、
前記支持部材は、ワイヤ切断時にワイヤ切断部の他方を支持することを特徴とする請求項１記載の鉄筋結束機。
【請求項８】
前記ガイド部には、ワイヤに巻き癖を付ける巻き癖付け機構が設けられ、
前記巻き癖付け機構は、ワイヤの曲げの外側となる外側面とワイヤの曲げの内側となる内側面をガイドする複数のガイド部材が設けられており、
前記複数のガイド部材の少なくとも一つが前記支持部材を構成することを特徴とする請求項１乃至７のいずれか１項に記載の鉄筋結束機。
【発明の詳細な説明】
【技術分野】
【０００１】
本願発明は、ワイヤリールを着脱可能に装着することができ、装着したワイヤリールから引き出したワイヤを結束機本体の先端に設けたガイド部から鉄筋のまわりに送り出して鉄筋の周囲にループ状に巻き回した後に捩って鉄筋を結束する鉄筋結束機に関する。
【背景技術】
【０００２】
鉄筋結束機は、結束機本体の先端に設けた湾曲したガイド部内に、交叉した２本の鉄筋を差し込み、結束機本体に装着したワイヤリールからワイヤ送り装置によりワイヤを引き出して、前記ガイド部でワイヤに巻き癖を付けてカールさせながら送り出し、２本の鉄筋のまわりにワイヤをループ状に巻き回すように構成されている。さらに、鉄筋結束機は、ワイヤを２本の鉄筋のまわりに巻き回した後、ワイヤ切断機構によりワイヤの元側を切断（剪断）し、ワイヤループの一端をワイヤ捩り装置の一対の捩り用フックで掴んで回転させることによりワイヤを捩って、鉄筋を緊縛して結束する（例えば、特許文献１，２）。
【０００３】
ワイヤ切断機構には、主にスライドカッターとロータリーカッターが使用される。スライドカッターは、ワイヤの送り方向に向かってワイヤ貫通孔が形成された固定刃と、前記固定刃に摺接してワイヤを切断する可動刃とからなり、可動刃の摺動型と揺動型が存在する。ロータリーカッターは、可動刃が内側のタイプと可動刃が外側のタイプの２種類が存在する。可動刃が内側のタイプは、ワイヤの送り方向に向かってワイヤ貫通孔が形成された可動刃と、前記可動刃を回動可能に収納する固定刃とからなり、可動刃の回転によりワイヤ貫通孔のワイヤ入口側が固定刃に摺動してワイヤを切断（剪断）する。可動刃が外側のタイプは、ワイヤの送り方向に向かってワイヤ貫通孔が形成された固定刃と、前記固定刃の周囲に回動可能に設けられた可動刃とからなり、可動刃の回転により固定刃のワイヤ貫通孔のワイヤ出口側に可動刃が摺動してワイヤを切断（剪断）する。
【先行技術文献】
【特許文献】
【０００４】
【特許文献１】実用新案登録第２５５２３８４号
【特許文献２】特許第５３０９９４７号
【発明の概要】
【発明が解決しようとする課題】
【０００５】
従来の鉄筋結束機は、ワイヤ切断機構がワイヤを切断するとき、固定刃に対して可動刃が摺動して切断するのであるが、ワイヤが固定刃のみの片持ちで支持されているので、切断時にワイヤが可動刃の切断方向に折り曲がってしまい、切断ができない場合があるという問題点があった。さらに、ワイヤが折り曲がって可動刃と固定刃の間に挟み込まれ、可動刃や固定刃の破損等のワイヤ切断機構の不具合の原因になる場合も有るという問題点があった。
【０００６】
また、従来の鉄筋結束機は、上記したように、ワイヤが固定刃のみの片持ちで支持されているので、切断時にワイヤが可動刃の切断方向に荷重を受け変形しながら切断され、切断に必要な荷重以上の力が必要となる。そのため、従来の鉄筋結束機は、可動刃の耐久性が悪化し、また、摩耗による可動刃の切断性能が低下するという問題点があった。
【０００７】
本願発明は、上記問題点に鑑み案出したものであって、ワイヤ切断機構によって切断する際、ワイヤの切断部の両側を固定刃と支持部材の両持ちで支持し、切断不良の原因を取り除き、ワイヤ切断機構が不具合になることを防止し、ワイヤ切断機構の耐久性を向上させ、可動刃の切断性能を維持させることができ、確実でスムーズな切断を行うことができる鉄筋結束機を提供することを目的とする。
【課題を解決するための手段】
【０００８】
本願請求項１に係る鉄筋結束機は、上記目的を達成するため、ワイヤリールを着脱可能に装着することができ、装着したワイヤリールからワイヤを引き出して結束機本体の先端に設けたガイド部に送り、該ガイド部でワイヤに巻き癖を付けてガイド部の内側に配置された鉄筋のまわりに送り出してその周囲に巻き回した後にワイヤ切断機構によりワイヤを切断するとともに、巻き回した部分を捩って上記鉄筋を結束する鉄筋結束機において、ガイド部には、前記ワイヤ切断機構側から送り出されるワイヤを、ワイヤの送り方向においてワイヤ切断機構の切断部よりも下流側の位置で支持する支持部材が設けられ、前記支持部材は、ワイヤ切断機構のワイヤ切断時にワイヤを支持することを特徴とする。
【０００９】
本願請求項２に係る鉄筋結束機は、上記目的を達成するため、ガイド部には、ワイヤの送り方向においてワイヤ切断機構の切断部よりも上流側の位置で支持する固定部材が設けられ、前記固定部材は、ワイヤ切断時にワイヤ切断部の一方を支持し、前記支持部材は、ワイヤ切断時にワイヤ切断部の他方を支持することを特徴とする。
【００１０】
本願請求項３に係る鉄筋結束機は、上記目的を達成するため、前記ワイヤ切断機構は、第１の可動刃と、前記第１の可動刃に摺動又は揺動してワイヤを切断する第２の可動刃とからなるカッターであって、前記第１の可動刃又は第２の可動刃は、ワイヤ切断時にワイヤ切断部の一方を支持し、前記支持部材は、ワイヤ切断時にワイヤ切断部の他方を支持することを特徴とする。
【００１１】
本願請求項４に係る鉄筋結束機は、上記目的を達成するため、前記ワイヤ切断機構は、固定刃と、前記固定刃に摺動又は揺動してワイヤを切断する可動刃とからなるカッターであって、前記固定刃は、ワイヤ切断時にワイヤ切断部の一方を支持し、前記支持部材は、ワイヤ切断時にワイヤ切断部の他方を支持することを特徴とする。
【００１２】
本願請求項５に係る鉄筋結束機は、上記目的を達成するため、前記固定刃は、ワイヤの送り方向に向かってワイヤ貫通孔が形成され、前記ワイヤは、前記固定刃のワイヤ貫通孔から送り出され、前記固定刃のワイヤ貫通孔のワイヤ出口側に可動刃が作動してワイヤを切断することを特徴とする。
【００１３】
本願請求項６に係る鉄筋結束機は、上記目的を達成するため、前記ワイヤ切断機構は、固定刃と、前記固定刃の周囲に回動可能に設けられた可動刃とからなり、前記固定刃は、ワイヤの送り方向に向かってワイヤ貫通孔が形成され、前記ワイヤは、前記固定刃のワイヤ貫通孔から送り出され、可動刃の回転によりワイヤを切断するカッターであって、前記固定刃は、ワイヤ切断時にワイヤ切断部の一方を支持し、前記支持部材は、ワイヤ切断時にワイヤ切断部の他方を支持することを特徴とする。
【００１４】
本願請求項７に係る鉄筋結束機は、上記目的を達成するため、前記ワイヤ切断機構は、固定刃と、前記固定刃の内側に収納された回動可能な可動刃とからなり、前記可動刃は、ワイヤの送り方向に向かってワイヤ貫通孔が形成され、前記ワイヤは、前記可動刃のワイヤ貫通孔から送り出され、可動刃の回転によりワイヤを切断するカッターであって、前記固定刃は、ワイヤ切断時にワイヤ切断部の一方を支持し、前記支持部材は、ワイヤ切断時にワイヤ切断部の他方を支持することを特徴とする。
【００１５】
本願請求項８に係る鉄筋結束機は、上記目的を達成するため、前記ガイド部には、ワイヤに巻き癖を付ける巻き癖付け機構が設けられ、前記巻き癖付け機構には、ワイヤの曲げの外側となる外側面とワイヤの曲げの内側となる内側面をガイドする複数のガイド部材が設けられており、前記複数のガイド部材の少なくとも一つが前記支持部材を構成することを特徴とする。
【発明の効果】
【００１６】
本願発明に係る鉄筋結束機は、ワイヤ切断機構側から送り出されるワイヤを、ワイヤの送り方向においてワイヤ切断機構の切断部よりも下流側の位置で支持する支持部材が設けられ、前記支持部材は、ワイヤ切断機構のワイヤ切断時にワイヤを支持する。即ち、本願発明に係る鉄筋結束機は、ワイヤ切断機構のワイヤ切断時に、支持部材でワイヤを支持するので、切断時にワイヤが切断方向に折り曲がることがなく、確実でスムーズな切断を行うことができるという効果がある。また、本願発明に係る鉄筋結束機は、ワイヤ切断機構によって切断されるワイヤを支持部材で支持するので、切断時にワイヤが切断方向に荷重を受けても変形しないよう切断に必要な荷重のみで十分であり、ワイヤ切断機構の耐久性の悪化と、摩耗によるワイヤ切断機構の切断性能の低下を防ぐという効果がある。
【００１７】
本願発明に係る鉄筋結束機は、ガイド部に、ワイヤの送り方向においてワイヤ切断機構の切断部よりも上流側の位置で支持する固定部材が設けられている。固定部材は、ワイヤ切断時にワイヤ切断部の一方を支持し、前記支持部材は、ワイヤ切断時にワイヤ切断部の他方を支持する。即ち、本願発明に係る鉄筋結束機は、ワイヤ切断機構のワイヤ切断時に、固定部材と支持部材でワイヤ切断部の両側を支持するので、切断時にワイヤが切断方向に折り曲がることがなく、確実でスムーズな切断を行うことができるという効果がある。また、本願発明に係る鉄筋結束機は、ワイヤ切断機構によって切断されるワイヤの切断部の両側を固定部材と支持部材の両持ちで支持するので、切断時にワイヤが切断方向に荷重を受けても変形することがなく、切断に必要な荷重のみで十分であり、ワイヤ切断機構の耐久性の悪化と、摩耗によるワイヤ切断機構の切断性能の低下を防ぐという効果がある。
【００１８】
本願発明に係る鉄筋結束機は、前記ワイヤ切断機構は、第１の可動刃と、前記第１の可動刃に摺動又は揺動してワイヤを切断する第２の可動刃とからなるカッターであって、前記第１の可動刃又は第２の可動刃は、ワイヤ切断時にワイヤ切断部の一方を支持し、前記支持部材は、ワイヤ切断時にワイヤ切断部の他方を支持する。即ち、本願発明に係る鉄筋結束機は、一対の可動刃のワイヤ切断時に、第１の可動刃又は第２の可動刃の一方と支持部材でワイヤ切断部の両側を支持するので、切断時にワイヤが切断方向に折り曲がることがなく、確実でスムーズな切断を行うことができるという効果がある。また、切断時にワイヤが切断方向に折り曲がることがないので、ワイヤが折り曲がって第１の可動刃と第２の可動刃の間に挟み込まれ、第１の可動刃と第２の可動刃の破損等のワイヤ切断機構の不具合になることを防止することができるという効果がある。また、本願発明に係る鉄筋結束機は、一対の可動刃によって切断されるワイヤの切断部の両側を第１の可動刃又は第２の可動刃の一方と支持部材の両持ちで支持するので、切断時にワイヤが切断方向に荷重を受けても変形することがなく、切断に必要な荷重のみで十分であり、一対の可動刃の耐久性の悪化と、摩耗による一対の可動刃の切断性能の低下を防ぐという効果がある。
【００１９】
本願発明に係る鉄筋結束機は、前記ワイヤ切断機構は、固定刃と、前記固定刃に摺動又は揺動してワイヤを切断する可動刃とからなるカッターであって、前記固定刃は、ワイヤ切断時にワイヤ切断部の一方を支持し、前記支持部材は、ワイヤ切断時にワイヤ切断部の他方を支持する。即ち、本願発明に係る鉄筋結束機は、可動刃のワイヤ切断時に、固定刃と支持部材でワイヤ切断部の両側を支持するので、切断時にワイヤが可動刃の切断方向に折り曲がることがなく、確実でスムーズな切断を行うことができるという効果がある。また、切断時にワイヤが可動刃の切断方向に折り曲がることがないので、ワイヤが折り曲がって可動刃と固定刃の間に挟み込まれ、可動刃と固定刃の破損等のワイヤ切断機構の不具合になることを防止することができるという効果がある。また、本願発明に係る鉄筋結束機は、可動刃によって切断されるワイヤの切断部の両側を固定刃と支持部材の両持ちで支持するので、切断時にワイヤが可動刃の切断方向に荷重を受けても変形することがなく、切断に必要な荷重のみで十分であり、可動刃の耐久性の悪化と、摩耗による可動刃の切断性能の低下を防ぐという効果がある。
【００２０】
本願発明に係る鉄筋結束機は、ガイド部に、ワイヤの曲げの外側となる外側面とワイヤの曲げの内側となる内側面をガイドする複数のガイド部材が設けられているため、当該ガイド部材によって、鉄筋のまわりにループ状に巻き回すワイヤのカール径が略一定となる巻き癖を付けることができ、そのため、結束不良が少なくなり、安定したワイヤの結束を維持できるという効果がある。さらに、この複数のガイド部材の少なくとも一つを上記支持部材にすることにより、別途支持部材を形成する必要がなくなるので安価となり、確実でスムーズな切断を行うことができるという効果がある。
【図面の簡単な説明】
【００２１】
【図１】本願発明に係る鉄筋結束機の一実施例を示す側面図である。
【図２】図１の鉄筋結束機を斜め下から見た斜視図である。
【図３】鉄筋結束機の一つのワイヤ切断機構を説明する側面説明図である。
【図４】鉄筋結束機の他のワイヤ切断機構を説明する側面説明図である。
【図５】鉄筋結束機のガイド部の第１の実施例を示す側面図である。
【図６】鉄筋結束機のガイド部の第２の実施例を示す側面図である。
【図７】鉄筋結束機のガイド部の第３の実施例を示す側面図である。
【図８】鉄筋結束機のガイド部の第４の実施例を示す側面図である。
【発明を実施するための形態】
【００２２】
以下、鉄筋結束機について詳細に説明をする。図１に示すように、鉄筋結束機１は、結束機本体２と、結束機本体２の先端に取り付けられたガイド部６とからなる。結束機本体２は、ワイヤリールを収納する収納室３と、収納室３内に装着したワイヤリールのワイヤ５を引き出してガイド部６に送るワイヤ送り装置１０と、ワイヤ送り装置１０を操作するトリガ４が設けられている。ワイヤ送り装置１０は、トリガ４を操作すると、電動モータ（図示せず）が駆動して、ワイヤリールのワイヤ５を送りローラが前方に送り出すようになっている。
【００２３】
ガイド部６には、緩やかに湾曲したガイドフレーム１３が設けられている。図３に示すように、ガイドフレーム１３のワイヤ送り経路には、前記ワイヤ送り装置によってワイヤリールから引き出されたワイヤ５をガイドして送り出す案内部品８と、前記ワイヤ送り装置によって所定量のワイヤ５を送り出して鉄筋７に巻き回した後に切断するためのワイヤ切断機構３１と、ワイヤ切断機構３１を経て送られたワイヤ５を湾曲させるカールガイド１２とが順に配置固定されている。カールガイド１２は、ガイドフレーム１３の先端側に固定され、ガイドフレーム１３と協働してワイヤ５をカールする方向に案内するガイド溝２０が形成されている。
【００２４】
図３に示すように、ワイヤ切断機構３１は、ワイヤ５の送り量が所定量に達すると、ワイヤ５を切断するように構成されている。ワイヤ切断機構３１はガイドフレーム１３に固定された固定刃３２と、固定刃３２に摺動してワイヤ５を切断する可動刃３３と、可動刃３３をリンク機構３７を介して可動させる駆動レバー１６とから構成された摺動式切断機構のスライドカッターである。
【００２５】
固定刃３２には、ワイヤ５の送り方向に向かってワイヤ５が貫通するワイヤ貫通孔３２ａが貫通形成されている。ワイヤ貫通孔３２ａの一端は案内部品８の先端８ｂに向かって開口し、他端はカールガイド１２に向かって開口している。ワイヤ貫通孔３２ａの一端側の開口は、ワイヤ入口３２ｃであって、ワイヤ貫通孔３２ａの他端側の開口は、ワイヤ出口３２ｄである。
【００２６】
ワイヤ切断機構３１は、駆動レバー１６によりリンク機構３７を介して可動刃３３を下方（ワイヤの曲線の外側から内側）に可動させることによって、可動刃３３の一方の面３３ａが固定刃３２のワイヤ貫通孔３２ａのワイヤ出口３２ｄ側の面３２ｅに沿って下方に摺動し、可動刃３３の一方の面３３ａの下端縁がワイヤ貫通孔３２ａに貫通させたワイヤ５を切断するようになっている。
【００２７】
鉄筋結束機のワイヤ切断機構は上記した摺動式切断機構のスライドカッター以外に回動式切断機構のロータリーカッターでも使用される。図４に示すように、ワイヤ切断機構５１は、ワイヤ５の送り量が所定量に達すると、ワイヤ５を切断するように構成されている。ワイヤ切断機構５１は、ガイドフレーム１３に固定された円軸状の固定刃５２と、固定刃５２の周囲に回動可能に設けられた可動刃５３と、可動刃５３を回動させる駆動レバー１６とから構成されたロータリーカッターである。
【００２８】
円軸状の固定刃５２には、ワイヤ５の送り方向に向かってワイヤ貫通孔５２ａが貫通形成されている。ワイヤ貫通孔５２ａの一端は案内部品８の先端８ｂに向かって開口し、他端はカールガイド１２に向かって開口している。ワイヤ貫通孔５２ａの一端側の開口は、ワイヤ入口５２ｂであって、ワイヤ貫通孔５２ａの他端側の開口は、ワイヤ出口５２ｃである。また、可動刃５３には、ワイヤ５の送り方向に向かってワイヤ挿通孔５３ａが形成されている。ワイヤ挿通孔５３ａの一端は固定刃５２のワイヤ貫通孔５２ａのワイヤ出口５２ｃに向かって開口し、他端はカールガイド１２に向かって開口している。可動刃５３のワイヤ挿通孔５３ａの一端側の開口は、ワイヤ進入口５３ｂであって、ワイヤ挿通孔５３ａの他端側の開口は、ワイヤ排出口５３ｃである。
【００２９】
ワイヤ切断機構５１は、駆動レバー１６により可動刃５３を反時計方向に回動させることによって、可動刃５３のワイヤ進入口５３ｂ側の面が固定刃５２のワイヤ出口５２ｃ側の面に沿って上方に摺動し、可動刃５３のワイヤ進入口５３ｂの下端縁がワイヤ貫通孔５２ａに貫通させたワイヤ５を切断するようになっている。
【００３０】
図３に示すように、案内部品８は、一端８ａが収納室３側に開口し、他端（先端）８ｂがワイヤ切断機構３１（又は５１）側に開口している。案内部品８の他端８ｂ開口は一端８ａ開口に対して絞られており、ワイヤ５が決められた位置から導出されるようになっている。なお、ガイドフレーム１３の側面を案内部品８の側壁に兼用させた構成にしてもよい。また、案内部品８は、図１のようにワイヤ送り装置１０の送りローラ側に配置された案内部品Ａ（８Ａ）とガイドフレーム１３側に配置された案内部品Ｂ（８Ｂ）とからなる。案内管Ａ（８Ａ）は、一端がワイヤ送り装置１０の送りローラに近接した位置にあり、他端が案内部品Ｂ（８Ｂ）の一端８ａの開口部に嵌合挿入した配置であり、案内管Ａ（８Ａ）と案内部品Ｂ（８Ｂ）は一体的な構成となり、ワイヤ５をワイヤ送り装置１０の送りローラ側からガイドフレーム１３側へ送るためのワイヤ送り経路のガイドの一部となっている。なお、案内管Ａ（８Ａ）と案内部品Ｂ（８Ｂ）を一部品で形成された案内部品８の構成にしてもよい。カールガイド１２は、円弧状に湾曲しており、結束機本体２のワイヤ送り装置１０から送り出されたワイヤ５をカールさせて巻き癖を付け、図１に示す下部ガイド９との間で鉄筋７のまわりを周回させるようになっている。なお、ガイド部６には、カールガイド１２の隣に、カールガイド１２から送り出され、ループ状に周回して戻ってきたワイヤ５の始端部を拾い込み、再び次の周回送りのためにガイドするカール拾いこみガイドが形成されている。
【００３１】
結束機本体２には、鉄筋のまわりにループ状に巻き回されたワイヤ５を捩って鉄筋を結束するワイヤ捩り装置が設けられている。ワイヤ捩り装置は、図１のＰ部に設けられた１対のフックを開閉自在に枢着したスリーブを電動モータにより前進移動させてフックを閉じ動作させることにより、鉄筋のまわりにループ状に巻き回されたワイヤ５を把持した後、スリーブとともにフックを回転させてワイヤを捩って鉄筋を結束し、その後フックを開き動作させるとともにスリーブを後退移動させてワイヤから離脱させて初期位置に戻すようにしたものである。そして、上記スリーブがワイヤループを掴みに前進するときに上述のワイヤ切断機構３１又は５１の駆動レバー１６を作動させてワイヤ５を切断（剪断）する。
【００３２】
このように、鉄筋結束機１は、結束機本体２に設けられた収納室３に、鉄筋結束用のワイヤ５を巻き付けたワイヤリールを装着し、トリガ４を引き操作することにより、上記ワイヤリールを回転させながらワイヤ５を結束機本体２の先端に設けられたガイド部６に送り、該ガイド部６のカールガイド１２のガイド溝２０でワイヤ５に巻き癖を付けてガイド部６の内側に配置された鉄筋７のまわりに送り出してその周囲に巻き回した後にワイヤ５の元側を切断するとともに、巻き回した部分を捩って上記鉄筋７を結束するものである。
【００３３】
なお、図３に示すように、案内部品８の切り欠かれた上部には、第１の巻き癖ガイド部材としての第１のガイドピン２３が設けられている。第１のガイドピン２３は、案内部品８の内側（案内通路側）に突出している。これにより、ワイヤ５の曲げの外側を構成する外側面は第１のガイドピン２３によってガイドされる。
【００３４】
また、カールガイド１２の先端内側には第３の巻き癖ガイド部材としての第３のガイドピン２５が設けられている。第３のガイドピン２５はカールガイド１２のガイド面２１よりもわずかに内側に突出するように取り付けられている。したがって、カールガイド１２のガイド溝２０に沿って送り出されたワイヤ５の曲げの外側面は第３のガイドピン２５に接触して下方に送られる。なお、上記第１、第３のガイドピン２３，２５は超硬ピン（超硬合金ピンやセラミックピン）のように硬度が高い材料から構成するのが好ましい。
【００３５】
以上のように、案内部品８から送り出されたワイヤは、案内部品８の切り欠かれた上部側に配置された第１のガイドピン２３に接触し、ワイヤ切断機構３１又は５１を通過した後、ワイヤ５はカールガイド１２の内側面に沿って送り出され、第３のガイドピン２５に当たって強く曲げの癖が付けられる。このように、ワイヤ５は硬度が高い第１、第３のガイドピン２３，２５に接触する。
【００３６】
上記鉄筋結束機１は、ワイヤ切断機構３１，５１がワイヤ５を切断するとき、固定刃３２，５２に対して可動刃３３，５３が摺動して切断するのであるが、ワイヤ５が固定刃３２，５２のみの片持ちで支持されているので、切断時に自由端側のワイヤ５が可動刃３３，５３の切断方向に折り曲がってしまい、切断ができない場合がある。さらに、ワイヤ５が折り曲がって可動刃３３，５３と固定刃３２，５２の間に挟み込まれ、可動刃３３，５３と固定刃３２，５２の破損等のワイヤ切断機構３１，５１の不具合の原因になる場合も有り得た。また、ワイヤ５が固定刃３２，５２のみの片持ちで支持されているので、切断時に自由端側のワイヤが可動刃３３，５３の切断方向に荷重を受け変形しながら切断され、切断に必要な荷重以上の力が必要となる。そのため、可動刃３３，５３の耐久性が悪化し、また、摩耗による可動刃３３，５３の切断性能が低下することもある。
【００３７】
従って、上記鉄筋結束機１に、ワイヤ切断部の一方が固定刃で支持されたワイヤの切断時に、ワイヤ切断部の他方を支持する支持部材を設け、ワイヤ切断機構によって切断する際、ワイヤの切断部の両側を固定刃と支持部材の両持ちで支持させ、切断不良の原因を取り除き、ワイヤ切断機構の不具合になることを防止し、ワイヤ切断機構の耐久性を向上させ、可動刃の切断性能を維持させることができ、確実でスムーズな切断を行うことができるようにした。
【００３８】
ガイド部６の第１の実施例を説明する。図５（ａ）に示すように、ワイヤ切断機構６１は、ワイヤ５の送り量が所定量に達すると、ワイヤ５を切断するように構成されている。すなわち、ワイヤ切断機構６１はガイドフレーム１３に固定された固定刃６２と、固定刃６２に摺動してワイヤ５を切断する可動刃６３と、可動刃６３を可動させる駆動レバー１６とから構成されたスライドカッターである。
【００３９】
固定刃６２には、ワイヤ５の送り方向に向かってワイヤ貫通孔６２ａが貫通形成されている。ワイヤ貫通孔６２ａの一端は案内部品８の先端部８ｂに向かって開口し、他端はカールガイド１２に向かって開口している。ワイヤ貫通孔６２ａの一端側の開口は、ワイヤ入口６２ｂであって、ワイヤ貫通孔６２ａの他端側の開口は、ワイヤ出口６２ｃである。
【００４０】
ワイヤ切断機構６１は、図５（ｂ）に示すように、駆動レバー１６により可動刃６３を下方（ワイヤの曲線の外側から内側）に可動させることによって、可動刃６３の一方の面６３ａが固定刃６２のワイヤ貫通孔６２ａのワイヤ出口６２ｃ側の面に沿って下方に摺動し、可動刃６３の一方の面（切断面）６３ａの下端縁がワイヤ貫通孔６２ａを貫通したワイヤ５を切断するようになっている。
【００４１】
ガイドフレーム１３には、固定刃６２のワイヤ貫通孔６２ａから送り出されるワイヤ５を、ワイヤ５の送り方向において可動刃６３の一方の面（切断面）６３ａよりも下流側（反対側）の位置で支持する支持ピン（支持部材）６５が設けられている。固定刃６２は、可動刃６３のワイヤ切断時にワイヤ切断部５ｂの一方を支持する。支持ピン６５は、可動刃６３のワイヤ切断時にワイヤ切断部５ｂの他方を支持する。即ち、可動刃６３のワイヤ切断時に、固定刃６２と支持ピン６５でワイヤ切断部５ｂの両側を支持することになる。
【００４２】
前記可動刃６３は、下端部６３ｃが、切断して切り離されたワイヤ５の切断部（以下、終端部という。）５ｂを切断方向（下方）に押し出す。支持ピン６５は、可動刃６３で押し出されたワイヤ５の終端部５ｂ側の一側５ｃに当接して折り曲げる当接部としての機能も有する。可動刃６３の下端部６３ｃによって押し出されたワイヤ５の終端部５ｂ側の一側５ｃが支持ピン６５によって折り曲げられる。従って、鉄筋結束機１は、ワイヤ５を切断した後の終端部５ｂ側の一側５ｃを可動刃６３の下端部６３ｃと支持ピン６５によって挟み込むように保持することになる。ワイヤ５の終端部５ｂ側の一側５ｃとは、支持ピン６５が接触する位置のことである。
【００４３】
鉄筋結束機１は、上記構成により、ワイヤ５がガイド部６で巻き癖を付けられて鉄筋７の周囲に巻き回された後、ワイヤ切断機構６１が作動し、可動刃６３が下動して切断するが、可動刃６３のワイヤ切断時に、固定刃６２と支持ピン６５でワイヤ切断部５ｂの両側を支持するので、切断時にワイヤ５の自由端側が可動刃６３の切断方向に折り曲がることがなく、確実でスムーズな切断を行うことができる。図５（ｂ）に示すように、切断後、可動刃６３の下端部６３ｃが切断したワイヤ５の終端部５ｂを切断方向（下方）に押し出し、ワイヤ５の終端部５ｂ側の一側５ｃを支持ピン６５により折り曲げる。
【００４４】
可動刃６３は、切断後切断した位置で停止する。可動刃６３の下端部６３ｃと支持ピン６５で、ワイヤ５の終端部５ｂ側の一側５ｃを挟持する。これにより、ワイヤ５の終端部５ｂ側の一側５ｃが可動刃６３の下端部６３ｃと支持ピン６５で保持される。ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端５ａ、５ｂを鉄筋の裏側にとどめておくことができる。可動刃６３のワイヤ５を切断する動作と支持ピン６５を利用してワイヤ５を折り曲げてワイヤ終端部５ｂを保持できる。
【００４５】
鉄筋結束後に可動刃６３が切断前の元の位置に復帰するので、ワイヤの終端部５ｂ側の一側５ｃの保持が解除され、結束機本体２から切断して捩ったワイヤ５の両端５ａ、５ｂを変形させることなくスムーズ且つ簡単に外すことができる。
【００４６】
上記第１の実施例は、上下摺動型のワイヤ切断機構６１で説明したが、図６（ａ）に示すように、揺動型のワイヤ切断機構７１に適用しても、同様の作用効果を達成できることは言うまでもない。ワイヤ切断機構７１は、ワイヤ５の送り量が所定量に達すると、ワイヤ５を切断するように構成されている。すなわち、ワイヤ切断機構７１はガイドフレーム１３に固定された固定刃７２と、固定刃７２に摺動してワイヤ５を切断する可動刃７３と、可動刃７３を可動させる揺動レバー７６とから構成されたスライドカッターである。
【００４７】
固定刃７２は、案内部品８の先端に一体で形成され、ワイヤ５の送り方向に向かってワイヤ貫通孔７２ａが貫通形成されている。ワイヤ貫通孔７２ａの一端は案内部品８の先端部開口と連続し、他端はカールガイド１２に向かって開口している。ワイヤ貫通孔７２ａの他端側の開口は、ワイヤ出口７２ｃである。
【００４８】
ワイヤ切断機構７１は、図６（ｂ）に示すように、揺動レバー７６により可動刃７３を下方（ワイヤの曲線の外側から内側）に可動させることによって、可動刃７３の一方の面７３ａ（切断面）が固定刃７２のワイヤ貫通孔７２ａのワイヤ出口７２ｃ側の面に沿って下方に摺動し、可動刃７３の一方の面７３ａ（切断面）の下端縁がワイヤ貫通孔７２ａを貫通したワイヤ５を切断するようになっている。
【００４９】
ガイドフレーム１３には、固定刃７２のワイヤ貫通孔７２ａから送り出されるワイヤ５を、ワイヤ５の送り方向において可動刃７３の一方の面（切断面）７３ａよりも下流側（反対側）の位置で支持する支持ピン（支持部材）７５が設けられている。固定刃７２は、可動刃７３のワイヤ切断時にワイヤ切断部５ｂの一方を支持する。支持ピン（支持部材）７５は、可動刃７３のワイヤ切断時にワイヤ切断部５ｂの他方を支持する。即ち、可動刃７３のワイヤ切断時に、固定刃７２と支持ピン７５でワイヤ切断部５ｂの両側を支持することになる。
【００５０】
前記可動刃７３は、下端部７３ｃが、切断して切り離されたワイヤ５の切断端部（以下、終端部という。）５ｂを切断方向（下方）に押し出す。支持ピン７５は、可動刃７３で押し出されたワイヤ５の終端部５ｂ側の一側５ｃに当接して折り曲げる当接部としての機能も有する。可動刃７３の下端部７３ｃによって押し出されたワイヤ５の終端部５ｂ側の一側５ｃが支持ピン７５によって折り曲げられる。従って、鉄筋結束機１は、ワイヤ５を切断した後の終端部５ｂ側の一側５ｃを可動刃７３の下端部７３ｃと支持ピン７５によって挟み込むように保持することになる。ワイヤ５の終端部５ｂ側の一側５ｃとは、支持ピン７５が接触する位置のことである。
【００５１】
鉄筋結束機１は、上記構成により、ワイヤ５がガイド部６で巻き癖を付けられて鉄筋７の周囲に巻き回された後、ワイヤ切断機構７１が作動し、可動刃７３が下動して切断するが、可動刃７３のワイヤ切断時に、固定刃７２と支持ピン７５でワイヤ切断部５ｂの両側を支持するので、切断時にワイヤ５の自由端側が可動刃７３の切断方向に折り曲がることがなく、確実でスムーズな切断を行うことができる。切断後、可動刃７３の下端部７３ｃが切断したワイヤ５の終端部５ｂを切断方向（下方）に押し出し、ワイヤ５の終端部５ｂ側の一側５ｃを支持ピン７５により折り曲げる。
【００５２】
可動刃７３は、切断後切断した位置で停止する。可動刃７３の下端部７３ｃと支持ピン７５で、ワイヤ５の終端部５ｂ側の一側５ｃを挟持する。これにより、ワイヤ５の終端部５ｂ側の一側５ｃが可動刃７３の下端部７３ｃと支持ピン７５で保持される。ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端５ａ、５ｂを鉄筋の裏側にとどめておくことができる。可動刃７３のワイヤ５を切断する動作と支持ピン７５を利用してワイヤ５を折り曲げてワイヤ終端部５ｂを保持できる。
【００５３】
鉄筋結束後に可動刃７３が切断前の元の位置に復帰するので、ワイヤの終端部５ｂ側の一側５ｃの保持が解除され、結束機本体２から切断して捩ったワイヤ５の両端５ａ、５ｂを変形させることなくスムーズ且つ簡単に外すことができる。
【００５４】
上記第１、２の実施例は、上下摺動型のワイヤ切断機構６１、７１で説明したが、第３の実施例として図７（ａ）に示すように、回動型のワイヤ切断機構１０１に適用しても、同様の作用効果を達成できることは言うまでもない。ワイヤ切断機構１０１は、ワイヤ５の送り量が所定量に達すると、ワイヤ５を切断するように構成されている。すなわち、ワイヤ切断機構１０１はガイドフレーム１３に固定された円軸状の固定刃１０２と、固定刃１０２の周囲に回動可能に設けられた可動刃１０３と、可動刃１０３を回動させる駆動レバー１６とから構成されたロータリーカッターである。
【００５５】
円軸状の固定刃１０２には、ワイヤ５の送り方向に向かってワイヤ貫通孔１０２ａが貫通形成されている。ワイヤ貫通孔１０２ａの一端は案内部品８の先端部８ｂに向かって開口し、他端はカールガイド１２に向かって開口している。ワイヤ貫通孔１０２ａの一端側の開口は、ワイヤ入口１０２ｂであって、ワイヤ貫通孔１０２ａの他端側の開口は、ワイヤ出口１０２ｃである。また、可動刃１０３には、ワイヤ５の送り方向に向かってワイヤ挿通孔１０３ａが形成されている。ワイヤ挿通孔１０３ａの一端は固定刃１０２のワイヤ貫通孔１０２ａのワイヤ出口１０２ｃに向かって開口し、他端はカールガイド１２に向かって開口している。可動刃１０３のワイヤ挿通孔１０３ａの一端側の開口は、ワイヤ進入口１０３ｂであって、ワイヤ挿通孔１０３ａの他端側の開口は、ワイヤ排出口１０３ｃである。
【００５６】
ワイヤ切断機構１０１は、図７（ｂ）に示すように、駆動レバー１６により可動刃１０３を反時計方向に回動させることによって、可動刃１０３のワイヤ進入口１０３ｂ側の面（切断面）１０３ｅが固定刃１０２のワイヤ出口１０２ｃ側の面に沿って上方に摺動し、可動刃１０３のワイヤ進入口１０３ｂの下端縁がワイヤ貫通孔１０２ａに貫通させたワイヤ５を切断するようになっている。
【００５７】
ガイドフレーム１３には、固定刃１０２のワイヤ貫通孔１０２ａから送り出されるワイヤ５を、ワイヤ５の送り方向において可動刃１０３の切断面１０３ｅよりも下流側（反対側）の位置で支持する支持ピン（支持部材）１０５が設けられている。固定刃１０２は、可動刃１０３のワイヤ切断時にワイヤ切断部５ｂの一方を支持する。支持ピン（支持部材）１０５は、可動刃１０３のワイヤ切断時にワイヤ切断部５ｂの他方を支持する。即ち、可動刃１０３のワイヤ切断時に、固定刃１０２と支持ピン１０５でワイヤ切断部５ｂの両側を支持することになる。
【００５８】
前記可動刃１０３は、ワイヤ５を切断すると共に、ワイヤ挿通孔１０３ａのワイヤ排出口１０３ｃの下端縁１０３ｄが、切断して切り離されたワイヤ５の切断端部（以下、終端部という。）５ｂ側の一側５ｃを切断方向（上方）に押し出す。支持ピン１０５は、可動刃１０３で押し出されたワイヤ５の終端部５ｂ側の一側５ｄに当接して折り曲げる当接部としての機能も有する。可動刃１０３の下端縁１０３ｄによって押し出されたワイヤ５の終端部５ｂ側の一側５ｄが支持ピン１０５によって折り曲げられる。従って、鉄筋結束機１は、ワイヤ５を切断した後の終端部５ｂ側の一側５ｄを可動刃１０３のワイヤ挿通孔１０３ａの下端縁１０３ｄと支持ピン１０５によって挟み込むように保持することになる。ワイヤ５の終端部５ｂ側の一側５ｄとは、支持ピン１０５が接触する位置のことである。
【００５９】
鉄筋結束機１は、上記構成により、ワイヤ５がガイド部６で巻き癖を付けられて鉄筋７の周囲に巻き回された後、ワイヤ切断機構１０１が作動し、可動刃１０３が上方に回動して可動刃１０３のワイヤ進入口１０３ｂの下端縁がワイヤ５を切断する。この可動刃１０３のワイヤ切断時に、固定刃１０２と支持ピン１０５でワイヤ切断部５ｂの両側を支持するので、切断時にワイヤ５の自由端側が可動刃１０３の切断方向に折り曲がることがなく、確実でスムーズな切断を行うことができる。図７（ｂ）に示すように、切断後、可動刃１０３のワイヤ排出口１０３ｃの下端縁１０３ｄが切断したワイヤ５の終端部５ｂ側の一側５ｃを切断方向（上方）に押し上げ、可動刃１０３のワイヤ排出口１０３ｃの下端縁１０３ｄと支持ピン１０５でワイヤ５の終端部５ｂの一側５ｄを挟持する。可動刃１０３は、切断後切断した位置で停止する。これにより、ワイヤ５の終端部５ｂ側の一側５ｄが可動刃１０３と支持ピン１０５で保持される。
【００６０】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤが捩られても、ワイヤ５の両端部５ａ、５ｂを鉄筋の裏側にとどめておくことができる。ワイヤ５を切断するときの可動刃１０３の動作を利用してワイヤ５の終端部５ｂを可動刃１０３と支持ピン１０５で挟み込むため確実に保持できる。
【００６１】
鉄筋結束後に可動刃１０３が切断前の元の位置に復帰するので、ワイヤの終端部５ｂの一側５ｄの保持が解除され、結束機本体２から切断して捩ったワイヤ５の両端５ａ、５ｂを変形させることなくスムーズ且つ簡単に外すことができる。
【００６２】
鉄筋結束機１のガイド部６には、ワイヤ５をカールさせて巻き癖を付けて送り出す巻き癖付け機構が設けられている。案内部品８によってガイドされて導出されたワイヤ５は、巻き癖付け機構により巻き癖が付けられてカールさせられ、所定量送り出されて鉄筋７に巻き回された後、ワイヤ切断機構によって切断される。
【００６３】
また、上記第３の実施例において、ロータリーカッターのワイヤ切断機構の固定刃と可動刃を逆にした構成、すなわち図８（ａ）に示すようにガイドフレーム１３に固定された円筒状の固定刃と固定刃の内側に収納された回動可能に設けられた可動刃と、可動刃を回動させる駆動レバー１６とからの構成にしても同様の作用効果を達成できる。以下、第４の実施例で説明する。
【００６４】
図８に示すように、ワイヤ切断機構９１は、ワイヤ５の送り量が所定量に達すると、ワイヤ５を切断するように構成されている。すなわち、ワイヤ切断機構９１は、回動可能に設けられた円軸状の可動刃９２と、ガイドフレーム１３に固定され、前記円軸状の可動刃９２を回動可能に収納する固定刃９３と、前記可動刃９２を回動させる駆動レバー１６とから構成されたロータリーカッターである。
【００６５】
円軸状の可動刃９２には、ワイヤ５の送り方向に向かってワイヤ貫通孔９２ａが貫通形成されている。ワイヤ貫通孔９２ａの一端は案内部品８の先端部８ｂに向かって開口し、他端はカールガイド１２に向かって開口している。ワイヤ貫通孔９２ａの一端側の開口は、ワイヤ入口９２ｂであって、ワイヤ貫通孔９２ａの他端側の開口は、ワイヤ出口９２ｃである。また、固定刃９３には、ワイヤ５の送り方向に向かってワイヤ挿通孔９３ａが形成されている。ワイヤ挿通孔９３ａの一端は案内部品８に向かって開口し、ワイヤ挿通孔９３ａの他端は可動刃９２のワイヤ貫通孔９２ａのワイヤ入口９２ｂに向かって開口している。ワイヤ挿通孔９３ａの一端側の開口は、ワイヤ進入口９３ｂであって、ワイヤ挿通孔９３ａの他端側の開口は、ワイヤ排出口９３ｃである。
【００６６】
ワイヤ切断機構９１は、図８（ｂ）に示すように、駆動レバー１６により可動刃９２を反時計方向に回動させることによって、可動刃９２のワイヤ入口９２ｂ側の面（切断面）９２ｆが固定刃９３のワイヤ排出口９３ｃ側の面に沿って下方に摺動し、可動刃９２のワイヤ入口９２ｂの上端縁９２ｄがワイヤ貫通孔９２ａに貫通させたワイヤ５を切断するようになっている。
【００６７】
ガイドフレーム１３には、可動刃９２のワイヤ貫通孔９２ａから送り出されるワイヤ５を、ワイヤ５の送り方向において可動刃９２の切断面９２ｆよりも下流側（反対側）の位置で支持する支持ピン（支持部材）９６が設けられている。固定刃９３は、可動刃９２のワイヤ切断時にワイヤ切断部５ｂの一方を支持する。支持ピン（支持部材）９６は、可動刃９２のワイヤ切断時にワイヤ切断部５ｂの他方を支持する。即ち、可動刃９２のワイヤ切断時に、固定刃９３と支持ピン９６でワイヤ切断部５ｂの両側を支持することになる。
【００６８】
前記可動刃９２は、ワイヤ５を切断すると共に、ワイヤ貫通孔９２ａのワイヤ出口９２ｃの下端縁９２ｅが、切断して切り離されたワイヤ５の切断端部（以下、終端部という。）５ｂ側の一側５ｃを反切断方向（上方）に押し出して折り曲げ、折曲部を形成する。従って、鉄筋結束機１は、ワイヤ５を切断した後の折り曲げた折曲部としての終端部５ｂ側の一側５ｃを可動刃９２のワイヤ貫通孔９２ａの下端縁９２ｅが保持し、ワイヤ５の終端部５ｂを可動刃９２の上端縁９２ｄ側が保持することになる。さらに、ワイヤ５の終端部近傍５ｄが支持ピン９６によって保持されることになる。ワイヤ５の終端部５ｂ側の一側５ｃとは、可動刃９２のワイヤ貫通孔９２ａの下端縁９２ｅが接触する位置のことである。
【００６９】
鉄筋結束機１は、上記構成により、ワイヤ５がガイド部６で巻き癖を付けられて鉄筋７の周囲に巻き回された後、ワイヤ切断機構９１が作動し、可動刃９２が回動して可動刃９２のワイヤ貫通孔９２ａのワイヤ入口９２ｂの上端縁９２ｄがワイヤ５を切断する。この可動刃９２のワイヤ切断時に、固定刃９３と支持ピン９６でワイヤ切断部５ｂの両側を支持するので、切断時にワイヤ５の自由端側が可動刃９２の切断方向に折り曲がることがなく、確実でスムーズな切断を行うことができる。切断と略同時に可動刃９２のワイヤ貫通孔９２ａのワイヤ出口９２ｃの下端縁９２ｅが切断したワイヤ５の終端部５ｂ側の一側５ｃを切断方向（上方）に押し上げ、この一側５ｃを可動刃９２のワイヤ貫通孔９２ａの下端縁９２ｅが保持し、ワイヤ５の終端部５ｂを可動刃９２の上端縁９２ｄ側が保持する。さらに、ワイヤ５の終端部近傍５ｄを支持ピン９６が保持する。可動刃９２は、切断後切断した位置で停止する。これにより、ワイヤ５の終端部５ｂ側の一側５ｃが可動刃９２のワイヤ出口９２ｃの下端縁９２ｅに保持され、ワイヤ５の終端部５ｂが可動刃９２のワイヤ入口９２ｂの上端縁９２ｄに保持され、ワイヤ５の終端部近傍５ｄがガイドピン９５に保持される。
【００７０】
ワイヤ５の始端部５ａは、ガイド部６に保持されたワイヤ５の終端部５ｂを含む部分に引っかかって押さえ込まれるので、自由に動くことができない。このように両端５ａ、５ｂが保持されている状態で、ワイヤ捩り装置により、ワイヤ５が捩られても、ワイヤ５の両端部５ａ、５ｂを鉄筋の裏側にとどめておくことができる。ワイヤ５を切断するときの可動刃９２の動作を利用してワイヤ５の終端部５ｂを可動刃９２とガイドピン９５で確実に保持できる。
【００７１】
鉄筋結束後に可動刃９２が切断前の元の位置に復帰するので、ワイヤ５の終端部５ｂ側の保持が解除され、結束機本体２から切断して捩ったワイヤ５の両端５ａ、５ｂを変形させることなくスムーズ且つ簡単に外すことができる。
【００７２】
上記した巻き癖付け機構は、案内部品８の端部のワイヤ出口８ｂまたはその近傍側からワイヤの送り経路上に順に配置された、ワイヤ５の曲げの外側となる外側面をガイドする第１の巻き癖ガイド部材としての第１のガイド部材２３と、ワイヤの曲げの内側となる内側面をガイドする第２の巻き癖ガイド部材としての第２のガイド部材２４と、ワイヤの曲げの側面をガイドする第４の巻き癖ガイド部材としての第４のガイド部材６５（７５，９６，１０５）と、ワイヤの曲げの外側となる外側面をガイドする第３の巻き癖ガイド部材としての第３のガイド部材２５とからなる。第４のガイド部材６５，７５，９６は、図５，６，８に示すように、ワイヤの曲げの内側となる内側面をガイドする。第４のガイド部材１０５は、図７に示すように、ワイヤの曲げの外側となる外側面をガイドする。鉄筋結束機１は、ワイヤの送り時にワイヤの送り経路上に配置された、この巻き癖付け機構、即ち、第１のガイド部材２３、第２のガイド部材２４、第４のガイド部材６５（７５，９６，１０５）及び第３のガイド部材２５にワイヤ５を順番に接触させてワイヤ５をカールさせる。
【００７３】
前記ガイド部材２３〜２５、６５（７５，９６，１０５）は、それぞれ断面円形の円柱状のガイドピンで形成されている。前記ガイドピンは、超硬ピン（超硬合金ピンやセラミックピン）のように硬度が高い材料で構成されていると、摩耗し難くなるので好ましい。また、第１のガイド部材や第２のガイド部材は、ピン形状ではなく案内部品８に一体的に形成されたガイド部位の形状でもよい。また、第３のガイド部材もピン形状ではなくカールガイド１２に一体的に形成されたガイド部位の形状でもよい。さらに第４のガイド部材もピン形状ではなくガイドフレーム１３に設けた凸部のガイド部位の形状でもよい。
【００７４】
具体的には、前記第１のガイドピン２３は、案内部品８の先端８ｂ上部の切り欠き部に設けられている。前記第２のガイドピン２４は、案内部品８の先端８ｂ下部側に設けられている。第３のガイドピン２５は、カールガイド１２の後端内側に配置されている。第４のガイドピン６５（７５，９６，１０５）は、図５〜７に示すように、カールガイド１２の先端内側に配置されている。
【００７５】
このように、案内部品８から送り出されるワイヤ５は、ワイヤ５の曲げの外側を構成する外側面が第１のガイドピン２３に接触してガイドされ、ワイヤ５の曲げの内側を構成する内側面が第２のガイドピン２４に接触してガイドされ、固定刃６２（７２，１０２）又は可動刃９２のワイヤ貫通孔６２ａ（７２ａ，９２ａ，１０２ａ）を挿通して、カールガイド１２のガイド面２１に沿って送り出されたワイヤ５の曲げの側面が第４のガイドピン６５（７５，９６，１０５）に接触してガイドされ、ワイヤ５の曲げの外側面が第３のガイドピン２５に接触してガイドされ、巻き癖が付けられて下方に送られる。このワイヤ５に巻き癖を付ける巻き癖付け機構の一つのガイドピン、即ち、第４のガイドピン６５（７５，９６，１０５）が上記した支持ピン（支持部材）として機能させることができる。
【００７６】
上記実施の形態では、ワイヤ５の切断部５ｂの両側を固定刃６２，７２，９３，１０２と支持部材６５，７５，９６，１０５で支持する、いわゆる両持ち支持について説明した。即ち、ワイヤ切断機構６１，７１，９１，１０１によるワイヤ切断時に、ワイヤ５に加えられる切断方向の力をワイヤ５の切断に確実に伝えるために、ワイヤ切断方向の反対側の位置でワイヤ５が変形しないように、鉄筋結束機１のガイド部６に支持部材６５，７５，９６，１０５を設けている。このように、ワイヤ切断機構６１，７１，９１，１０１側から送り出されるワイヤ５を、ワイヤ５の送り方向においてワイヤ切断機構６１，７１，９１，１０１の切断部よりも下流側の位置で支持する支持部材６５，７５，９６，１０５を鉄筋結束機１のガイド部６に設けておけば、支持部材６５，７５，９６，１０５が、ワイヤ切断機構６１，７１，９１，１０１のワイヤ切断時にワイヤ５を支持することになる。鉄筋結束機１は、ワイヤ切断機構６１，７１，９１，１０１のワイヤ切断時に、支持部材６５，７５，９６，１０５でワイヤ５を支持するので、切断時にワイヤ５が切断方向に折り曲がることがなく、確実でスムーズな切断を行うことができる。
【００７７】
また、固定刃６２，７２を、刃を有しない固定部材に代えて、若しくは、固定刃６２，７２に別途固定部材を設け、固定部材と支持部材６５，７５の両持ちでワイヤ５を支持しても良い。即ち、鉄筋結束機１のガイド部６に、ワイヤ５の送り方向においてワイヤ切断機構６１，７１の切断部よりも上流側の位置で支持する固定部材６２，７２を設けておく。固定部材６２，７２は、ワイヤ切断時にワイヤ切断部５ｂの一方を支持し、支持部材６５，７５が、ワイヤ切断時にワイヤ切断部５ｂの他方を支持する。鉄筋結束機１は、ワイヤ切断機構６１，７１のワイヤ切断時に、固定部材６２，７２と支持部材６５，７５でワイヤ切断部５ｂの両側を支持するので、切断時にワイヤ５が切断方向に折り曲がることがなく、確実でスムーズな切断を行うことができる。
【００７８】
さらにまた、固定刃６２，７２，９３，１０２を可動刃とし、一対の可動刃による切断にしても良い。即ち、ワイヤ切断機構６１，７１，９１，１０１は、第１の可動刃６２，７２，９３，１０２と、前記第１の可動刃６２，７２，９３，１０２に摺動又は揺動してワイヤ５を切断する第２の可動刃６３，７３，９２，１０３とからなるカッターとする。前記第１の可動刃６２，７２，９３，１０２又は第２の可動刃６３，７３，９２，１０３は、ワイヤ切断時にワイヤ切断部５ｂの一方を支持する。前記支持部材６５，７５，９６，１０５は、ワイヤ切断時にワイヤ切断部５ｂの他方を支持する。このように、鉄筋結束機は、一対の可動刃のワイヤ切断時に、第１の可動刃６２，７２，９３，１０２又は第２の可動刃６３，７３，９２，１０３の一方と支持部材６５，７５，９６，１０５でワイヤ切断部５ｂの両側を支持するので、切断時にワイヤ５が切断方向に折り曲がることがなく、確実でスムーズな切断を行うことができる。
【産業上の利用可能性】
【００７９】
本願発明は、鉄筋結束機に利用可能である。
【符号の説明】
【００８０】
１  鉄筋結束機
２  結束機本体
３  収納室
４  トリガ
５  ワイヤ
５ａ  始端部
５ｂ  終端部（ワイヤ切断端部）
５ｃ  一側
５ｄ  一側
６  ガイド部
７  鉄筋
８  案内部品
８ａ  一端（先端）
８ｂ  他端（先端）
８Ａ  案内部品Ａ
８Ｂ  案内部品Ｂ
９    下部ガイド
１０  ワイヤ送り装置
１２  カールガイド
１３  ガイドフレーム
１６  駆動レバー
２０  ガイド溝
２１  ガイド面
２３  第１のガイドピン（第１のガイド部材）
２４  第２のガイドピン（第２のガイド部材）
２５  第３のガイドピン（第３のガイド部材）
３１  ワイヤ切断機構
３２  固定刃
３２ａ  ワイヤ貫通孔
３２ｃ  ワイヤ入口
３２ｄ  ワイヤ出口
３２ｅ  一方の面
３３  可動刃
３３ａ  一方の面
３７  リンク機構
５１  ワイヤ切断機構
５２  固定刃
５２ａ  ワイヤ貫通孔
５２ｂ  ワイヤ入口
５２ｃ  ワイヤ出口
５３  可動刃
５３ａ  ワイヤ挿通孔
５３ｂ  ワイヤ進入口
５３ｃ  ワイヤ排出口
６１  ワイヤ切断機構
６２  固定刃（固定部材）
６２ａ  ワイヤ貫通孔
６２ｂ  ワイヤ入口
６２ｃ  ワイヤ出口
６３  可動刃
６３ａ  一方の面（切断面）
６３ｃ  下端部
６５  支持ピン（支持部材  第４のガイド部材）
７１  ワイヤ切断機構
７２  固定刃（固定部材）
７２ａ  ワイヤ貫通孔
７２ｃ  ワイヤ出口
７３  可動刃
７３ａ  一方の面（切断面）
７３ｃ  下端部
７５  支持ピン（支持部材  第４のガイド部材）
７６  揺動レバー
９１  ワイヤ切断機構
９２  可動刃
９２ａ  ワイヤ貫通孔
９２ｂ  ワイヤ入口
９２ｃ  ワイヤ出口
９２ｄ  上端縁
９２ｅ  下端縁
９２ｆ  ワイヤ入口側の面（切断面）
９３  固定刃
９３ａ  ワイヤ挿通孔
９３ｂ  ワイヤ進入口
９３ｃ  ワイヤ排出口
９６  支持ピン（支持部材  第４のガイド部材）
１０１  ワイヤ切断機構
１０２  固定刃
１０２ａ  ワイヤ貫通孔
１０２ｂ  ワイヤ入口
１０２ｃ  ワイヤ出口
１０３  可動刃
１０３ａ  ワイヤ挿通孔
１０３ｂ  ワイヤ進入口
１０３ｃ  ワイヤ排出口
１０３ｄ  下端縁
１０３ｅ  ワイヤ進入口側の面（切断面）
１０５  支持ピン（支持部材  第４のガイド部材）
【図１】
2019116326.tif 000003
【図２】
2019116326.tif 000004
【図３】
2019116326.tif 000005
【図４】
2019116326.tif 000006
【図５】
2019116326.tif 000007
【図６】
2019116326.tif 000008
【図７】
2019116326.tif 000009
【図８】
2019116326.tif 000010
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
ワイヤリールを着脱自在に装着可能であって、装着された前記ワイヤリールからワイヤを引き出して結束機本体の先端に設けられたガイド部に送り、前記ガイド部において前記ワイヤを湾曲させて鉄筋のまわりに送り出してその周囲を巻き回した後に、ワイヤ切断機構を用いて前記ワイヤを切断するとともに前記巻き回した部分を捩って前記鉄筋を結束するように構成される鉄筋結束機において、
前記ガイド部には、ワイヤの曲げの内側となる内側面に接触するための隣接する２つのガイド部材が設けられ、
前記ワイヤ切断機構は、前記隣接する２つのガイド部材の間において、ワイヤの曲げの外側から内側に移動してワイヤを切断するための可動刃を備えていることを特徴とする鉄筋結束機。